(57)【特許請求の範囲】
【請求項１】
光ディスク媒体にレーザー光を照射して前記光ディスク媒体に情報の記録・再生を行う光ヘッド本体と、前記光ディスク媒体の半径方向に往復移動自在に前記光ヘッド本体の軸受部を嵌合支持する２本のロッドレールと、前記光ヘッド本体に取り付けられるリードティースと、前記リードティースと噛み合い前記光ヘッド本体を移動させるリードスクリューと、前記リードスクリューの回転駆動源となるモータと、前記モータのシャフトに固定されるモータギアと、前記リードスクリューに固定されるリードスクリューギアと、前記リードスクリューギアと前記モータギアとの間に配置され前記モータの回転駆動を前記リードスクリューに伝達するアイドルギアと、前記リードスクリューに対して前記リードティースを付勢するスプリングとを有し、前記リードティースは、前記リードスクリューと噛み合うティース部と、ヒンジ部と、前記ロッドレールが挿入されるレール挿入部とを有し、前記レール挿入部にブレーキパッドを有することを特徴とする光ヘッド送り装置。
【請求項２】
前記ブレーキパッドは、前記光ヘッド本体の移動方向に対して直行する上下方向の２箇所に前記ロッドレールを挟んで配置されることを特徴とする請求項１記載の光ヘッド送り装置。
【請求項３】
前記ブレーキパッドは、前記ロッドレールの半径と同等以上の曲率半径の切り欠き部を有し、前記切り欠き部と前記ロッドレールの外径とは隙間を有することを特徴とする請求項１または２記載の光ヘッド送り装置。
【請求項４】
前記切り欠き部と前記ロッドレールの外径との隙間は、前記軸受部と前記ロッドレールとの隙間より大きいことを特徴とする請求項３記載の光ヘッド送り装置。
【請求項５】
前記リードティースは、前記スプリングの付勢力により前記ヒンジ部を支点として前記ティース部を変位させ前記リードスクリューと前記ティース部との噛み合いを保持することを特徴とする請求項１記載の光ヘッド送り装置。
【請求項６】
前記リードティースは、弾性を有する樹脂材料を有することを特徴とする請求項１または５記載の光ヘッド送り装置。
【請求項７】
前記ブレーキパッドは、前記ロッドレールの外周と隙間を有する内径を有する円筒形状を有することを特徴とする請求項１記載の光ヘッド送り装置。
【請求項８】
前記ティース部と前記ヒンジ部と前記レール挿入部と前記ブレーキパッドとは、一体モールド成型されることを特徴とする請求項１記載の光ヘッド送り装置。
【請求項９】
前記ティース部と前記ヒンジ部と前記レール挿入部とは、一体モールド成型され、前記ブレーキパッドは、前記レール挿入部に取り付け固定されることを特徴とする請求項１記載の光ヘッド送り装置。
【請求項１０】
前記ブレーキパッドは、前記ロッドレールとの間の摩擦係数が前記モールド成型の材料より大きい材料を有することを特徴とする請求項９記載の光ヘッド送り装置。
【発明の詳細な説明】
【０００１】
【発明の属する技術分野】
本発明は、光ヘッド送り装置に関し、特に、光ヘッドに振動、衝撃などの外力が働いた場合に、光ヘッドの破壊を防止し、信頼性を向上させた光ヘッド送り装置に関する。
【０００２】
【従来の技術】
次に、従来のこの種のＣＤ／ＲＯＭ（コンパクトディスク／リードオンリメモリ）装置、ＤＶＤ（ディジタルバーサタイルディスク）装置などの光ディスク装置の光ヘッド送り装置について図面を参照して説明する。
【０００３】
図９は、従来の光ヘッド送り装置１００を示す概略平面図、図１０は、図９中のＢＢ断面図である。
【０００４】
図９および図１０を参照すると、光ヘッド送り装置１００は、光ヘッド本体１と、スピンドルモータ２６に搭載された光ディスク媒体（図示せず）の半径方向に往復移動自在に光ヘッド本体１の軸受部１１ａ、１１ｂを嵌合支持するロッドレール３と、軸受部１１ｃを嵌合支持するロッドレール４と、光ヘッド本体１にネジ１４により取り付けられるリードティース１０２と、リードティース１０２のティース部１２１と噛み合い光ヘッド本体１を移動させるリードスクリュー５と、リードスクリュー５の両端とロッドレール３の両端とを支持しメインシャーシ２５に固定されるサポータ（Ｒ）２９、サポータ（Ｆ）２８と、光ヘッド本体１の移動動作範囲を規制しサポータ（Ｒ）２９とサポータ（Ｆ）２８とに各々設けられるストッパ（Ｒ）２７、ストッパ（Ｆ）１８と、ロッドレール４の両端を支持しメインシャーシ２５に固定されるサポータ（Ｒ）１６、サポータ（Ｆ）１５と、リードスクリュー５の回転駆動源となるモータ６と、モータ６のシャフト６ａに固定されるモータギア７と、リードスクリュー５に固定されるリードスクリューギア９と、リードスクリューギア９とモータギア７との間に配置されモータ６の回転駆動をリードスクリュー５に伝達するアイドルギア８と、リードスクリュー５に対してティース部１２１を付勢するスプリング１０とで構成され、リードティース１０２には、ヒンジ部１２３が設けられた構成となっている。
【０００５】
次に、上述のように構成された光ヘッド送り装置１００の動作について説明する。
【０００６】
モータ６を回転駆動することにより、シャフト６ａに固定されたモータギア７、アイドルギア８、リードスクリュー５を介してモータ６の回転駆動力をリードスクリュー５に伝達し、リードスクリュー５に刻まれた螺旋溝５ａとティース部１２１とが噛み合いティース部１２１が螺旋溝５ａを摺動することにより、光ヘッド本体１を光ディスク媒体の外周方向Ｘ１または光ディスク媒体の内周方向Ｘ２に移動動作させる。
【０００７】
光ヘッド本体１を移動させる方向は、モータ６の回転方向の制御によって決定される。
【０００８】
ティース部１２１は、スプリング１０によってリードスクリュー５側に付勢され、ヒンジ部１２３を支点として弾性変形によりリードスクリュー５と常に適正な圧力で噛み合いを保つようになっている。
【０００９】
また何らかの理由で光ヘッド本体１が移動動作できないときは、ヒンジ部１２３の変形とスプリング１０の圧縮によりティース部１２１がリードスクリュー５の螺旋溝５ａから外れ、モータ６に過大な負荷が掛からないようになっている。
【００１０】
しかし、上述の光ヘッド送り装置１００は、モータ６に過大な負荷が掛かるのを回避するために、リードティース１０２のティース部１２１が螺旋溝５ａから外れるようになっており、梱包、輸送、運搬時などにおいて振動・衝撃が光ヘッド本体１へ作用したとき、ティース部１２１が螺旋溝５ａから外れてしまい、光ヘッド本体１が可動限界範囲内を高速度で移動してストッパ（Ｒ）２７、或いはストッパ（Ｆ）１８に衝突し、光ヘッド本体１に実装されている光学系の要素部品（図示せず）、他の精密構成要素部品（図示せず）などに障害が発生するという欠点がある。
【００１１】
なお、ストッパ（Ｒ）２７、ストッパ（Ｆ）１８をゴム材料などの緩衝材で形成し、光ヘッド本体１の衝突時の衝撃エネルギーを吸収することにより、上記障害の発生を防止することができるが、この場合、光ヘッド本体１が損傷を被らない所定の衝撃加速度以下に抑制するには、光ヘッド本体１の衝突時のストッパ（Ｒ）２７、ストッパ（Ｆ）１８の変位量を大きくする必要があり、従って、光ヘッド本体１の移動方向のストッパ（Ｒ）２７、ストッパ（Ｆ）１８の長さが大きくなり、装置寸法に影響を及ぼすため、装置の小型化の上では、実用上得策ではなく、採用できないことになる。
【００１２】
また、振動・衝撃が光ヘッド本体１へ作用したとき、リードティース１０２のティース部１２１が螺旋溝５ａから外れた状態で光ヘッド本体１が移動する際、螺旋溝５ａの端面エッジ部により、ティース部１２１が損傷するという欠点がある。
【００１３】
【発明が解決しようとする課題】
以上説明したように、上述の従来の光ヘッド送り装置は、梱包、輸送、運搬時などにおいて振動・衝撃が光ヘッド本体へ作用したとき、ティース部が螺旋溝から外れ、光ヘッド本体が可動限界範囲内を高速度で移動してストッパに衝突し、光ヘッド本体に実装されている光学系の要素部品、精密構成要素部品などに障害が発生するという課題がある。
【００１４】
また、リードティースのティース部が螺旋溝から外れた状態で光ヘッド本体が移動する際、螺旋溝の端面エッジ部により、ティース部が損傷するという課題がある。
【００１５】
本発明の目的は、梱包、輸送、運搬時などにおいて光ヘッド本体に振動、衝撃などの外力が働いた場合に、光ヘッド本体、ティース部の損傷、破壊障害を防止し、信頼性を向上させた光ヘッド送り装置を提供することにある。
【００１６】
【課題を解決するための手段】
本発明の光ヘッド送り装置は、光ディスク媒体にレーザー光を照射して光ディスク媒体に情報の記録・再生を行う光ヘッド本体と、光ディスク媒体の半径方向に往復移動自在に光ヘッド本体の軸受部を嵌合支持する２本のロッドレールと、光ヘッド本体に取り付けられるリードティースと、リードティースと噛み合い光ヘッド本体を移動させるリードスクリューと、リードスクリューの回転駆動源となるモータと、モータのシャフトに固定されるモータギアと、リードスクリューに固定されるリードスクリューギアと、リードスクリューギアとモータギアとの間に配置されモータの回転駆動をリードスクリューに伝達するアイドルギアと、リードスクリューに対してリードティースを付勢するスプリングとを有し、リードティースは、リードスクリューと噛み合うティース部と、ヒンジ部と、ロッドレールが挿入されるレール挿入部とを有し、レール挿入部にブレーキパッドを有することを特徴とする。
【００１７】
ブレーキパッドは、光ヘッド本体の移動方向に対して直行する上下方向の２箇所にロッドレールを挟んで配置されることを特徴とする。
【００１８】
ブレーキパッドは、ロッドレールの半径と同等以上の曲率半径の切り欠き部を有し、切り欠き部とロッドレールの外径とは隙間を有することを特徴とする。
【００１９】
切り欠き部とロッドレールの外径との隙間は、軸受部とロッドレールとの隙間より大きいことを特徴とする。
【００２０】
リードティースは、スプリングの付勢力によりヒンジ部を支点としてティース部を変位させリードスクリューとティース部との噛み合いを保持することを特徴とする。
【００２１】
リードティースは、弾性を有する樹脂材料を有することを特徴とする。
【００２２】
ブレーキパッドは、ロッドレールの外周と隙間を有する内径を有する円筒形状を有することを特徴とする。
【００２３】
ティース部とヒンジ部とレール挿入部とブレーキパッドとは、一体モールド成型されることを特徴とする。
【００２４】
ティース部とヒンジ部とレール挿入部とは、一体モールド成型され、ブレーキパッドは、レール挿入部に取り付け固定されることを特徴とする。
【００２５】
ブレーキパッドは、ロッドレールとの間の摩擦係数がモールド成型の材料より大きい材料を有することを特徴とする。
【００２６】
【発明の実施の形態】
次に、本発明の光ヘッド送り装置の一実施の形態について、図面を参照して説明する。
【００２７】
図１は、本発明の光ヘッド送り装置３０の一実施の形態を示す概略平面図、図２は、図１中のＣ部詳細図、図３は、図１中のＡＡ断面図である。なお、従来の光ヘッド送り装置１００と同一構成要素に関しては、同一符号で表示している。
【００２８】
図１〜図３を参照すると、光ヘッド送り装置３０は、スピンドルモータ２６に搭載された光ディスク媒体（図示せず）にレーザー光を照射して光ディスク媒体に情報の記録・再生を行う光ヘッド本体１と、光ディスク媒体の半径方向に往復移動自在に光ヘッド本体１の軸受部１１ａ、１１ｂを嵌合支持するロッドレール３と、軸受部１１ｃを嵌合支持するロッドレール４と、光ヘッド本体１にネジ１４により取り付けられる弾性樹脂材料で形成されるリードティース２と、リードティース２のティース部２２と噛み合い光ヘッド本体１を移動させるリードスクリュー５と、リードスクリュー５の両端とロッドレール３の両端とを支持しメインシャーシ２５に各々固定されるサポータ（Ｒ）２９、サポータ（Ｆ）２８と、ロッドレール４の両端を各々支持しメインシャーシ２５に固定されるサポータ（Ｒ）１６、サポータ（Ｆ）１５と、リードスクリュー５の回転駆動源となるモータ６と、モータ６のシャフト６ａに固定されるモータギア７と、リードスクリュー５に固定されるリードスクリューギア９と、リードスクリューギア９とモータギア７との間に配置されモータ６の回転駆動力をリードスクリュー５に伝達するアイドルギア８と、リードスクリュー５に対してティース部２２を付勢するスプリング１０とで構成され、リードティース２は、リードスクリュー５と噛み合うティース部２２と、ヒンジ部２３と、ロッドレール３が挿入されるレール挿入部２４と、レール挿入部２４に設けられ光ヘッド本体１の移動方向（Ｘ１またはＸ２）に対して直行する上下方向の２箇所にロッドレール３を挟んで配置されるブレーキパッド（１）１２、ブレーキパッド（２）１３とで構成される。
【００２９】
ブレーキパッド（１）１２、ブレーキパッド（２）１３とは、ロッドレール３の半径と同等以上の曲率半径の切り欠き部１２ａ、１３ｂを各々有し、切り欠き部１２ａ、１３ｂとロッドレール３の外径との隙間は、軸受部１１ａ、１１ｂとロッドレール３との隙間より大きい隙間を設けた構成となっている。
【００３０】
ティース部２２は、スプリング１０によってリードスクリュー５側に付勢され、ヒンジ部２３を支点として弾性変形によりリードスクリュー５と常に適正な圧力で噛み合いを保つようになっている。
【００３１】
光ヘッド本体１に対するリードティース２の位置決めは、光ヘッド本体１に設けられた２本のピン１ａ、１ｂにリードティース２に設けた２個の嵌合穴を挿入することにより行われるが、個々の部品精度のばらつき、組立精度のばらつきなどにより、リードスクリュー５の螺旋溝５ａとティース部２２との噛み合いの最適な相対位置関係がずれるため、この相対位置関係のずれを吸収すべく、ヒンジ部２３とスプリング１０とが設けられている。
【００３２】
なお、ティース部２２とヒンジ部２３とレール挿入部２４とブレーキパッド（１）１２とブレーキパッド（２）１３とは、一体モールド成型され、リードティース２を形成している。
【００３３】
次に、上述のように構成された光ヘッド送り装置３０の動作について説明する。
【００３４】
モータ６を回転駆動することにより、シャフト６ａに固定されたモータギア７、アイドルギア８、リードスクリュー５を介してモータ６の回転駆動力をリードスクリュー５に伝達し、リードスクリュー５に刻まれた螺旋溝５ａとティース部２２とが噛み合いティース部２２が螺旋溝５ａを摺動することにより、光ヘッド本体１を光ディスク媒体の外周方向Ｘ１または光ディスク媒体の内周方向Ｘ２に移動動作させる。光ヘッド本体１を移動させる方向は、モータ６の回転方向の制御によって決定される。
【００３５】
次に、光ヘッド本体１が落下などによる振動・衝撃を受けたときの動作について、図面を参照して説明する。
【００３６】
図４は、光ヘッド本体１に光ディスク媒体に対して内周方向Ｘ２の外力が働いた場合のリードティース２に作用する力を説明するための図、図５は、そのときのリードティース２の状態を説明するための図である。
【００３７】
図４、図５を参照すると、落下衝撃などにより光ヘッド本体１に内周方向Ｘ２の外力が働いた場合、その力はリードティース２に伝達されるが、このとき、過大な力が急激に掛かった場合は、リードスクリュー５が光ヘッド本体１およびリードティース２の動きに追従しきれず回転しない状態となり、ティース部２２は、リードスクリュー５からの反力（１）Ｆ１を受け、その力は作用力（１）Ｎ１に変換される。
【００３８】
その結果、リードティース２は、図５に示すようにリードティース変形方向Ｕに弾性変形し、この弾性変形によりブレーキパッド（２）１３の切り欠き部１３ｂがロッドレール３に押し当てられ、摩擦力が加味された状態で、光ヘッド本体１の光ディスク媒体の半径方向への移動を回避できることになる。
【００３９】
また、ティース部２２がヒンジ部２３の変形によりリードスクリュー５から外れた場合は、その瞬間においてはブレーキパッド（２）１３がロッドレール３を押圧する力が作用しているため、その摩擦力により光ヘッド本体１の移動速度を減速することができ、その結果、衝撃力の影響を緩和することができる。
【００４０】
次に、上記とは逆に、光ヘッド本体１に外周方向Ｘ１の外力が働いた場合の動作について、図面を参照して説明する。
【００４１】
図６は、光ヘッド本体１に光ディスク媒体に対して外周方向Ｘ１の外力が働いた場合のリードティース２に作用する力を説明するための図、図７は、そのときのリードティース２の状態を説明するための図である。
【００４２】
図６、図７を参照すると、落下衝撃などにより光ヘッド本体１に外周方向Ｘ１の外力が働いた場合、その力はリードティース２に伝達されるが、このとき、過大な力が急激に掛かった場合は、リードスクリュー５が光ヘッド本体１およびリードティース２の動きに追従しきれず回転しない状態となり、ティース部２２は、リードスクリュー５からの反力（２）Ｆ２を受け、その力は作用力（２）Ｎ２に変換される。
【００４３】
その結果、リードティース２は、図７に示すようにリードティース変形方向Ｄに弾性変形し、この弾性変形によりブレーキパッド（１）１２の切り欠き部１２ａがロッドレール３に押し当てられ、摩擦力が加味された状態で、光ヘッド本体１の光ディスク媒体の半径方向への移動を防止できる。
【００４４】
なお、上述の実施の形態においては、光ヘッド本体１の移動方向に対して直行する上下方向の２箇所にロッドレール３を挟んでブレーキパッド（１）１２とブレーキパッド（２）１３とを配置する構成としているが、図８に示す如く、ロッドレール３の外周と隙間を成す円筒形状のブレーキパッド１７ａを備えたリードティース１７とした場合も、上述の場合と同等の効果が得られ、本発明に含まれることは云うまでもない。
【００４５】
また、ティース部２２とヒンジ部２３とレール挿入部２４とを、一体モールド成型で形成し、ブレーキパッド（１）１２とブレーキパッド（２）１３とを、ロッドレール３との間の摩擦係数がモールド成形の材料より大きい材料の別部品で製作し、リードティース２のレール挿入部２４に取り付けて固定する構成とすることにより、落下衝撃などにより光ヘッド本体１に外力が働いた場合、ブレーキパッド（１）１２、ブレーキパッド（２）１３がロッドレール３に押し当てられたときの両者間の摩擦力がより大きくなり、光ヘッド本体１の光ディスク媒体の半径方向への移動を防止する一層大なる効果が得られるが、この構成も本発明に含まれることは云うまでもない。
【００４６】
【発明の効果】
以上説明したように、本発明の光ヘッド送り装置は、梱包、輸送、運搬時などにおいて光ヘッド本体に振動、衝撃などの外力が働いた場合に、リードティースが弾性変形し、ブレーキパッドがロッドレールに押し当てられ、摩擦力が加味された状態で、光ヘッド本体の光ディスク媒体の半径方向への移動を阻止でき、光ヘッド本体およびティース部の損傷、破壊障害を防止し、信頼性を向上させることができるという効果がある。
【００４７】
また、リードティースにブレーキパッドを設けるという簡単な構成により、光ヘッド本体の衝撃を緩和でき、可動範囲を規制するストッパを配置する必要が無くなり、部品点数を削減できるという効果がある。
【図面の簡単な説明】
【図１】本発明の光ヘッド送り装置の一実施の形態を示す概略平面図である。
【図２】図１中のＣ部詳細図である。
【図３】図１中のＡＡ断面図である。
【図４】光ヘッド本体に光ディスク媒体に対して内周方向の外力が働いた場合のリードティースに作用する力を説明するための図である。
【図５】光ヘッド本体に内周方向の外力が働いた場合のリードティースの状態を説明するための図である。
【図６】光ヘッド本体に光ディスク媒体に対して外周方向の外力が働いた場合のリードティースに作用する力を説明するための図である。
【図７】光ヘッド本体に外周方向の外力が働いた場合のリードティースの状態を説明するための図である。
【図８】リードティースの他の形状を示す図である。
【図９】従来の光ヘッド送り装置を示す概略平面図である。
【図１０】図９中のＢＢ断面図である。
【符号の説明】
１    光ヘッド本体
１ａ、１ｂ    ピン
２、１７    リードティース
３、４    ロッドレール
５    リードスクリュー
５ａ    螺旋溝
６    モータ
７    モータギア
８    アイドルギア
９    リードスクリューギア
１０    スプリング
１１ａ、１１ｂ    軸受部
１１ｃ    軸受部
１２    ブレーキパッド（１）
１２ａ    切り欠き部
１３    ブレーキパッド（２）
１３ｂ    切り欠き部
１４    ネジ
１５、２８    サポータ（Ｆ）
１６、２９    サポータ（Ｒ）
１７ａ    ブレーキパッド
１８    ストッパ（Ｆ）
２２、１２１    ティース部
２３、１２３    ヒンジ部
２４    レール挿入部
２５    メインシャーシ
２６    スピンドルモータ
２７    ストッパ（Ｒ）
３０、１００    光ヘッド送り装置
１０２    リードティース
Ｘ１    外周方向
Ｘ２    内周方向
Ｎ１    作用力（１）
Ｎ２    作用力（２）
Ｆ１    反力（１）
Ｆ２    反力（２）
Ｄ、Ｕ    リードティース変形方向
【図１】
0003731552.tif 000002
【図２】
0003731552.tif 000003
【図３】
0003731552.tif 000004
【図４】
0003731552.tif 000005
【図５】
0003731552.tif 000006
【図６】
0003731552.tif 000007
【図７】
0003731552.tif 000008
【図８】
0003731552.tif 000009
【図９】
0003731552.tif 000010
【図１０】
0003731552.tif 000011